(57)【要約】【課題】  回転駆動されるハブの外周に、起風角度が変更可能に複数の起風翼を枢着し、ハブと同芯に配備されるとともにその軸心方向に移動可能なスライド操作部材の移動に伴って起風翼を角度変更させるよう構成し、固定支点を中心に揺動操作可能に配備されたシフトフォークでスライド操作部材を操作するよう構成した起風装置において、長期間に亘ってスライド操作部材を円滑に移動操作することができるようにする。【解決手段】  シフトフォーク４２の先端部に、固定支点ａと平行な支点ｂ周りに回動可能な係合部材４３を装着し、この係合部材４３をスライド操作部３４の外周に形成した平坦操作面ｓに回転軸心方向から係合させるとともに、係合部材４３に、平坦操作面ｓに面接触する平坦係合面ｆを備えてある。【選択図】        図４
2009078722.tif 000002
【特許請求の範囲】
【請求項１】
回転駆動されるハブの外周に、起風角度が変更可能に複数の起風翼を枢着し、前記ハブと同芯に配備されるとともにその軸心方向に移動可能なスライド操作部材の移動に伴って前記起風翼を角度変更させるよう構成し、固定支点を中心に揺動操作可能に配備されたシフトフォークで前記スライド操作部材を操作するよう構成した起風装置において、
前記シフトフォークの先端部に、前記固定支点と平行な支点周りに回動可能な係合部材を装着し、この係合部材を前記スライド操作部材の外周に形成した平坦操作面に回転軸心方向から係合させるとともに、前記係合部材に、前記平坦操作面に面接触する平坦係合面を備えてあることを特徴とする起風装置。
【請求項２】
前記ハブを一定方向に回転駆動し、前記起風翼の起風角度を正逆に向き変更可能に構成してある請求項１記載の起風装置。
【発明の詳細な説明】
【技術分野】
【０００１】
本発明は、農作業機や土工機などの作業機のエンジン冷却に利用することのできる起風装置に関する。
【背景技術】
【０００２】
農作業機の一例であるコンバインにおいては、搭載した水冷式のエンジンのラジエータを冷却するために起風装置が備えられている。この起風装置は、回転駆動されるハブの外周に、起風角度が変更可能な複数の起風翼を枢着し、ハブと同芯に配備されて軸心方向にシフト可能なスライド操作部材を、回転軸心方向に移動させることで起風角度を正逆に変更させ、冷外気を吸引してラジエータに供給する順風状態と、外気浄化用の防塵網に付着した塵埃を機体内側から吹き飛ばし除去する逆風状態とを得られるように構成したものが知られている（例えば、特許文献１参照）。
【特許文献１】特開２００６−１２３５９８号公報
【発明の開示】
【発明が解決しようとする課題】
【０００３】
上記起風装置においては、固定支点を中心に揺動操作可能に配備されたシフトフォークでスライド操作部材を回転軸心方向に移動操作するよう構成されており、シフトフォークの先端部に固定した係合ピンをスライド操作部材に備えた平坦操作面に係合し、シフトフォークの揺動をスライド操作部材の直線変位に変換するようにしている。
【０００４】
しかし、シフトフォークの揺動に伴って円弧軌跡で移動する係合ピンの外周面がスライド操作部材の平坦操作面に線当たり状態で摺接することになり、係合ピンと平坦操作面との接触応力が大きくなって係合ピンの外周面が局部的に摩滅し、作動時にこじれやガタが発生するおそれがあった。
【０００５】
本発明は、このような点に着目してなされたものであって、長期間に亘ってスライド操作部材を円滑に移動操作することができる起風装置を提供することを目的としている。
【課題を解決するための手段】
【０００６】
第１の発明は、回転駆動されるハブの外周に、起風角度が変更可能に複数の起風翼を枢着し、前記ハブと同芯に配備されるとともにその軸心方向に移動可能なスライド操作部材の移動に伴って前記起風翼を角度変更させるよう構成し、固定支点を中心に揺動操作可能に配備されたシフトフォークで前記スライド操作部材を操作するよう構成した起風装置において、
前記シフトフォークの先端部に、前記固定支点と平行な支点周りに回動可能な係合部材を装着し、この係合部材を前記スライド操作部材の外周に形成した平坦操作面に回転軸心方向から係合させるとともに、前記係合部材に、前記平坦操作面に面接触する平坦係合面を備えてあることを特徴とする。
【０００７】
上記構成によると、係合部材自体がシフトフォークの揺動支点と平行な支点周りに自転自在であり、係合部材の平坦係合面が平坦操作面に面接触しているので、係合部材は平坦操作面に対して面接触する一定姿勢を保ったまま円弧軌跡で移動し、スライ操作部材を軸心方向に移動操作する。
【０００８】
従って、第１の発明によると、自転自在な係合部材（平担係合面）はスライド操作部材の平坦操作面に常に面接触するので、大きい接触面に働く応力が小さいものとなり、繰り返し摺動を受けても係合部材の摩滅を抑制することができ、長期間に亘ってスライド操作部材をこじりやガタなく円滑に移動操作することができるようになった。
【０００９】
第２の発明は、上記第１の発明において、
前記ハブを一定方向に回転駆動し、前記起風翼の起風角度を正逆に向き変更可能に構成してあるものである。
【００１０】
上記構成によると、順風状態と逆風状態とに切換えることができ、塵埃の多い環境下で使用される作業機におけるラジエータの冷却用の起風装置として有効に利用できる。
【発明を実施するための最良の形態】
【００１１】
図１に、本発明の起風装置を備えた作業装置の一例である自脱型のコンバインが示されている。このコンバインは、左右一対のクローラ走行装置１を備えた走行機体２の前部に刈取り部３を昇降自在に連結するとともに、走行機体２の左側に脱穀装置４、右側の前部に運転部５、その後方に穀粒回収タンク６をそれぞれ配備して構成されており、運転部５に配備された箱形のボンネット７に水冷式のエンジン８が収容され、ボンネット７の上面に運転座席９が支持されている。
【００１２】
図２に示すように、前記エンジン８は、その回転軸心が左右方向に向かう横置き姿勢で機体フレーム１０に防振搭載されており、このエンジン８の右横外側にラジエータ１１が配備されるとともに、エンジン出力軸８ａに伝動ベルト１２を介して連動連結されて駆動される起風装置１３がラジエータ１１の背部に対向配備されている。ボンネット７の右横外側には、ラジエータ１１に対向して中空構造の導風ダクト１４が立設配備されており、起風装置１３で吸引導入された外気が導風ダクト１４を通してラジエータ１１に供給されるようになっている。導風ダクト１４には除塵網１５を張設した吸気口１６が設けられており、除塵網１５によって塵埃が濾過除去された清浄な外気がラジエータ１１に供給される。
【００１３】
図３に起風装置１３の詳細な構造が示されている。エンジン８の上方前部にはエンジン内の冷却水ジャケットとラジエータ１１との間で冷却水を循環流動させるウオータポンプ１７が備えられ、このウオータポンプ１７を駆動する回転軸１８に取付けられたプーリー１９と、エンジン出力軸８ａに取付けられたプーリ８ｂに亘って伝動ベルト１２が巻回されて、エンジン作動中は回転軸１８が常に一定方向に回転駆動される。
【００１４】
前記回転軸１８には、前記プーリー１９と一体化されたボス部材２０が装着され、このボス部材２０の外端部にディスク２１がボルト連結されている。ディスク２１の外面には横外方に向けて複数本の案内ロッド２２が平行に突設され、これら案内ロッド２２に対して回転軸心方向にスライド移動可能にハブ２３が装着されている。
【００１５】
前記ハブ２３は、機体内向きに開放された椀形に形成されており、その外周部に周方向一定ピッチで放射状に配置された複数枚（この例では７枚）の起風翼２４が、支軸２５を介して回動可能に枢着され、各起風翼２４が支軸軸心ｐ周りに回動して起風角度が変更可能となっている。
【００１６】
支軸２５はハブ２３の内部にまで挿通されて、その内方突出端に操作アーム２６が連結され、操作アーム２６の先端に備えられた係合ピン２７が前記ディスク２１の外周に形成された環状溝２８に係入されている。これによって、ハブ２３が回転軸心方向にスライド移動することで、回転軸心方向に位置固定の環状溝２８に係合ピン２７が係入された状態で支軸２５が回転軸心方向に移動し、相対的に支軸２５が回動されて起風翼２４の起風角度が支軸軸心ｐ周りに変更されるのである。
【００１７】
前記ディスク２１の外面中心には中心支軸２９が突設されるとともに、その外端に連結したバネ受け板３０とハブ２３の外面との間に径の異なる複数の圧縮コイルバネ３１が装着されて、ハブ２３が常にこじりなくスライド移動されるようディスク２１側に向けてスライド付勢されている。図３に示すように、ハブ２３がディスク２１の外端面に接当するスライド限界位置にある時、ハブ２３の一定方向への駆動回転によって外気を機体内方に吸引する順風モードをもたらす起風角度となるよう設定されている。
【００１８】
前記ハブ２３の機体内方端には、ベアリング３２を介して支持筒３３が相対回動自在に内嵌装着されるとともに、この支持筒３３にリング状のスライド操作部材３４が外嵌連結されている。図５に示すように、支持筒３３の機体内方端部における外周縁の４箇所ｋがカシメ変形されて、スライド操作部材３４の抜け出しが阻止されている。
【００１９】
エンジン８の上部に取付けたブラケット４０に、前記起風装置１３における起風翼２３の起風角度を変更する起風角度切換え機構４１が装備されており、以下、その構造について説明する。
【００２０】
図３，図４に示すように、前記ブラケット４０から前方に延出されたステー４０ａに、機体前後方向に向かう固定支点ａ周りに揺動可能なシフトフォーク４２が枢支連結され、このシフトフォーク４２の下端部に備えた一対の係合部材４３が、前記スライド操作部材３４の外周対角位置に直線状に切削形成された周方向溝４４に係入されている。
【００２１】
図７に示すように、前記係合部材４３は、大径の係合部４３ａと支軸部４３ｂを一体に形成したものであり、支軸部４３ｂがシフトフォーク４２の先端部に回動可能に挿入され、係合部材４３が前記固定支点ａと平行な支点ｂ周りに回動可能に支持されている。係合部４３ａは、外周面の対角位置に平坦係合面ｆを備えた小判形に形成されており、この平坦係合面ｆがスライド操作部材３３に備えられた周方向溝４４の平坦操作面ｓに面接触状態で係合されている。
【００２２】
ボンネット７の適所には正逆転可能な減速機付きの電動モータ４５が装備され、その減速出力軸４６に備えられたピニオンギヤ４７で扇形ギヤ４８が支点ｃ周りに正逆に回転駆動されるよう構成さている。そして、扇形ギヤ４８と前記シフトフォーク４２の他端とがプッシュプルワイヤ５０で連動連結され、電動モータ４５の作動によってプッシュプルワイヤ５０が引き操作されることで、シフトフォーク４２が圧縮コイルバネ３１に抗してスライド操作部材３４およびハブ２３を外方に向けて押圧移動させる。電動モータ４５が逆作動されてプッシュプルワイヤ５０が突出操作されることで、スライド操作部材３４およびハブ２３が内方に向けて復帰移動するようになっている。
【００２３】
図３に示される順風状態から、ハブ２３を外方に向けてスライド移動させるに連れて起風翼２４の正方向での起風角度が次第に小さくなり、更に大きくハブ２４を外方にスライド移動させると、起風翼２４の起風角度が逆方向となって、ハブ２３の一定方向回転に対して起風方向が上記順風方向と逆方向になる。
【００２４】
上記のように構成された起風装置１３は、一定方向に駆動回転されるハブ２３に対して起風翼２４の起風角度を正逆に切換えることで、除塵網１５を通して外気を吸引してラジエータ１１に供給する順風モードと、その順風モードとは通風方向を逆向きにして除塵網１５に空気を内側から吹き付て付着した塵埃を機外に吹き飛ばし除去する逆風モードとに切換えることが可能となっている。
【００２５】
前記電動モータ４５は図示されない制御装置を介して運転制御されるものであり、所定時間の順風モードと短時間の逆風モードとを自動的に繰り返す自動運転状態、順風モードで連続運転する状態、逆風モードで連続運転する状態、等を選択することが可能となっている。
【００２６】
〔他の実施例〕
（１）図８に示すように、小判形に形成された係合部材４３と支軸部４３ｂとを別体に構成し、支軸部４３ｂをシフトフォーク４２に連結固定するとともに、この支軸部４３ｂに対して係合部材４３を回動可能に遊嵌して実施することもできる。
【００２７】
（２）図９に示すように、前記スライド操作部３３の外周対角位置に周方向に沿って突条３５を設け、この突条３５の側面に形成した平坦操作面ｓに係合部材４３の平坦係合面ｆを片当たり面接触させる形態で実施することもできる。
この場合、係合部材４３に凹状の縦長の溝部を形状し、溝部に突条３５を挿入して、溝部の前後に形成された平坦係合面ｆを、突条３５の前後をまたぐようにして面接触させるように構成してもよい。
【００２８】
（３）上記実施例では、起風翼２４の起風角度を正逆範囲で切換え変更して、ラジエータ冷却用の順風モードと除塵用の逆風モードをもたらすよう構成した場合を例示したが、起風角度を正方向範囲でのみ変更して、単に順風モードでの起風量を変更する起風装置に適用することもできる。
【図面の簡単な説明】
【００２９】
【図１】コンバインの側面図
【図２】原動部の縦断背面図
【図３】起風装置の縦断背面図
【図４】起風装置のスライド操作部を示す縦断側面図
【図５】スライド操作部材の端面図
【図６】図４におけるＶＩ-ＶＩ断面図
【図７】係合部材の斜視図
【図８】係合部材の別実施例を示す断面図
【図９】別実施例のスライド操作部の要部を示す断面図
【符号の説明】
【００３０】
２３            ハブ
２４            起風翼
３４            スライド操作部材
４２            シフトフォーク
４３            係合部材
ａ              固定支点
ｂ              支点
ｆ              平坦係合面
ｓ              平坦操作面
【図１】
2009078722.tif 000003
【図２】
2009078722.tif 000004
【図３】
2009078722.tif 000005
【図４】
2009078722.tif 000006
【図５】
2009078722.tif 000007
【図６】
2009078722.tif 000008
【図７】
2009078722.tif 000009
【図８】
2009078722.tif 000010
【図９】
2009078722.tif 000011